(57)【要約】【課題】主に各種電子機器の遠隔操作に使用されるリモコン送信機に関し、誤操作がなく、確実な操作が可能なものを提供することを目的とする。【解決手段】送信手段１８を複数の発光素子１８Ａから形成すると共に、電磁発電手段１２を設け、この電磁発電手段１２で複数の発光素子１８Ａを発光させることによって、電池等が不要になると共に、電磁発電手段１２で生成された高電圧で複数の発光素子１８Ａを発光させ、遠くまで赤外線のリモコン信号を送信できるため、誤操作がなく、確実な操作が可能なリモコン送信機を得ることができる。【選択図】図１
2012253586.tif 000002
【特許請求の範囲】
【請求項１】
略箱型のケースと、このケース上面から操作部が突出した操作体と、この操作部の操作によって電気的接離を行うスイッチ接点と、このスイッチ接点の電気的接離に応じて、送信手段からリモコン信号を送信する制御手段からなり、上記送信手段を複数の発光素子から形成すると共に、電磁発電手段を設け、この電磁発電手段で複数の発光素子を発光させるリモコン送信機。
【発明の詳細な説明】
【技術分野】
【０００１】
本発明は、主に各種電子機器の遠隔操作に用いられるリモコン送信機に関するものである。
【背景技術】
【０００２】
近年、テレビやビデオ、エアコン等の各種電子機器の高機能化が進むなか、これらを遠隔操作するリモコン送信機においても、使い易く、確実な操作を行えるものが求められている。
【０００３】
このような従来のリモコン送信機について、図３を用いて説明する。
【０００４】
なお、この図面は構成を判り易くするために、部分的に寸法を拡大して表している。
【０００５】
図３は従来のリモコン送信機の断面図であり、同図において、１は略箱型で絶縁樹脂製のケースで、上面には複数の開口孔１Ａが形成されている。
【０００６】
また、２はゴム等の操作体で、下端に略ドーム状の薄肉部が設けられた複数の操作部２Ａが形成されると共に、この複数の操作部２Ａがケース１上面の複数の開口孔１Ａから、上下動可能に突出している。
【０００７】
そして、３は上下面に複数の配線パターン（図示せず）が形成された配線基板で、上面には銅やカーボン等によって複数の固定接点４が形成されると共に、この固定接点４が操作部２Ａ下面の可動接点５と、所定の間隙を空けて対向して、複数のスイッチ接点が形成されている。
【０００８】
さらに、６は絶縁樹脂製のカバーで、このカバー６がケース１下面を覆うと共に、カバー６内には電池７が収納され、この下面には絶縁樹脂製の蓋体８が装着されている。
【０００９】
また、配線基板３の上下面には、発光ダイオード等の発光素子から形成された送信手段９や、配線パターン等を介して複数の固定接点４や電池７、送信手段９に接続されたマイコン等の制御手段１０が設けられて、リモコン送信機が構成されている。
【００１０】
以上の構成において、リモコン送信機を操作するテレビ等の電子機器に向けて、指で所定の操作部２Ａを押圧操作すると、略ドーム状の薄肉部が弾性変形して操作部２Ａが下方へ移動し、この下面の可動接点５が複数の固定接点４に接触して、可動接点５を介して複数の固定接点４の電気的接離が行われる。
【００１１】
そして、この所定の操作部２Ａ下方のスイッチ接点の電気的接離を制御手段１０が検出し、これに応じて送信手段９の発光素子を発光させ、送信手段９から赤外線のリモコン信号が電子機器へ送信されて、例えば、テレビの電源の入／切や音量の増減等が遠隔操作によって行われる。
【００１２】
つまり、複数の操作部２Ａの押圧操作によって、この下方のスイッチ接点の電気的接離を行い、これに応じて制御手段１０が送信手段９から赤外線のリモコン信号を送信することで、離れた場所に置かれた電子機器の様々な操作が行えるように構成されている。
【００１３】
なお、このようなリモコン送信機においては、一般にＤＣ１．５Ｖの電池７を二本直列に接続し、ＤＣ３Ｖの電源によって送信手段９の発光素子を発光させて、遠隔操作が行われているため、機器との遠隔操作可能な距離は７〜１０ｍ前後となっている。
【００１４】
また、この電池７の消耗を防ぐため、非操作時には制御手段１０にのみ電源を供給し、所定の操作部２Ａが押圧操作され、これを制御手段１０が検出した場合に、送信手段９にも電池７から電源を供給して、遠隔操作を行うように構成されているものであった。
【００１５】
なお、この出願の発明に関連する先行技術文献情報としては、例えば、特許文献１が知られている。
【先行技術文献】
【特許文献】
【００１６】
【特許文献１】特開２０１０−５０６６０号公報
【発明の概要】
【発明が解決しようとする課題】
【００１７】
しかしながら、上記従来のリモコン送信機においては、ある期間使用して電池７が消耗すると、これをカバー６内から取り出して交換する必要があり、手間がかかると共に、電池７が消耗して電圧が所定の値よりも小さくなった場合には、送信手段９の発光素子の輝度が低下して、送信される赤外線のリモコン信号が弱くなり、誤操作が生じ易くなってしまう場合があるという課題があった。
【００１８】
本発明は、このような従来の課題を解決するものであり、誤操作がなく、確実な操作の可能なリモコン送信機を提供することを目的とする。
【課題を解決するための手段】
【００１９】
上記目的を達成するために本発明は、送信手段を複数の発光素子から形成すると共に、電磁発電手段を設け、この電磁発電手段で複数の発光素子を発光させるようにしてリモコン送信機を構成したものであり、電池が不要になると共に、電磁発電手段で生成された高電圧で複数の発光素子を発光させ、遠くまで赤外線のリモコン信号を送信できるため、誤操作がなく、確実な操作が可能なリモコン送信機を得ることができるという作用を有するものである。
【発明の効果】
【００２０】
以上のように本発明によれば、誤操作がなく、確実な操作が可能なリモコン送信機を実現できるという有利な効果が得られる。
【図面の簡単な説明】
【００２１】
【図１】本発明の一実施の形態によるリモコン送信機の断面図
【図２】同回路図
【図３】従来のリモコン送信機の断面図
【発明を実施するための形態】
【００２２】
以下、本発明の実施の形態について、図１及び図２を用いて説明する。
【００２３】
なお、これらの図面は構成を判り易くするために、部分的に寸法を拡大して表している。
【００２４】
また、背景技術の項で説明した構成と同一構成の部分には同一符号を付して、詳細な説明を簡略化する。
【００２５】
（実施の形態）
図１は本発明の一実施の形態によるリモコン送信機の断面図、図２は同回路図であり、同図において、１は略箱型でポリスチレンやＡＢＳ等の絶縁樹脂製のケースで、上面には複数の開口孔１Ａが形成されている。
【００２６】
また、２はゴムやエラストマー等の操作体で、下端に略ドーム状の薄肉部が設けられた複数の操作部２Ａが形成されると共に、この複数の操作部２Ａがケース１上面の複数の開口孔１Ａから、上下動可能に突出している。
【００２７】
そして、１１は紙フェノールやガラス入りエポキシ等の配線基板で、上下面には銅箔等によって複数の配線パターン（図示せず）が形成されると共に、この上面には銅やカーボン等によって、複数の固定接点４が形成され、この固定接点４が操作部２Ａ下面のカーボン等の可動接点５と、所定の間隙を空けて対向して、複数のスイッチ接点が形成されている。
【００２８】
さらに、１２は電磁発電手段で、螺旋状に巻回された銅線等のコイル１３内に、略柱状でフェライトやＮｄ−Ｆｅ−Ｂ合金等の磁石１４が、移動可能に挿通して形成されると共に、磁石１４の両端にはゴムやばね等のダンパー（図示せず）が設けられている。
【００２９】
また、１５は複数のダイオード等が接続された整流回路、１６はコンデンサ等の蓄電手段、１７はレギュレータＩＣ等の定電圧回路で、電磁発電手段１２のコイル１３両端が整流回路１５に接続されると共に、定電圧回路１７が蓄電手段１６や整流回路１５を介して、電磁発電手段１２に接続されている。
【００３０】
そして、１８は送信手段で、発光ダイオード等の複数の発光素子１８Ａが、直列に接続されて形成されると共に、ツェナーダイオード等を介して、蓄電手段１６や整流回路１５に接続されている。
【００３１】
さらに、１９はマイコン等の制御手段、２０はトランジスタ等の信号生成手段で、定電圧回路１７との間にコンデンサが設けられた制御手段１９に、信号生成手段２０が抵抗を介して接続されると共に、この信号生成手段２０に抵抗２１を介して、送信手段１８の複数の発光素子１８Ａが接続されている。
【００３２】
そして、制御手段１９に配線パターン等を介して、複数のスイッチ接点の固定接点４や送信手段１８、電磁発電手段１２や整流回路１５等が接続されると共に、ケース１下面を絶縁樹脂製のカバー２２が覆って、リモコン送信機が構成されている。
【００３３】
以上の構成において、リモコン送信機を手で持って所定方向へ振ると、電磁発電手段１２の磁石１４がコイル１３内を移動して電磁力が生じ、コイル１３に電流が流れてＡＣ１０〜２０Ｖ前後の高電圧が発生し、これが整流回路１５を通った後、ＤＣ１２Ｖ前後の電源として蓄電手段１６に充電される。
【００３４】
そして、この後、リモコン送信機を操作するテレビ等の電子機器に向けて、指で所定の操作部２Ａを押圧操作すると、略ドーム状の薄肉部が弾性変形して操作部２Ａが下方へ移動し、この下面の可動接点５が複数の固定接点４に接触して、可動接点５を介して複数の固定接点４の電気的接離が行われる。
【００３５】
そして、この所定の操作部２Ａ下方のスイッチ接点の電気的接離を制御手段１９が検出し、これに応じて信号生成手段２０を駆動させて送信手段１８の複数の発光素子１８Ａを発光させ、送信手段１８から赤外線のリモコン信号が電子機器へ送信されて、例えば、テレビの電源の入／切や音量の増減等が遠隔操作によって行われる。
【００３６】
つまり、複数の操作部２Ａの押圧操作によって、この下方のスイッチ接点の電気的接離を行い、これに応じて制御手段１９が送信手段１８から赤外線のリモコン信号を送信することで、離れた場所に置かれた電子機器の様々な操作が行えるように構成されている。
【００３７】
なお、この時、上記のようなスイッチ接点の電気的接離や制御手段１９の検出、信号生成手段２０の駆動等は、蓄電手段１６のＤＣ１２Ｖ前後の電圧を定電圧回路１７が変換し、定電圧回路１７から供給されるＤＣ３Ｖを電源として行われる。
【００３８】
これに対し、送信手段１８には蓄電手段１６から、ツェナーダイオードを通してＤＣ１２Ｖ前後の高電圧が供給され、この高い電圧によって複数の発光素子１８Ａが発光する。
【００３９】
すなわち、電磁発電手段１２によって生成された高電圧電源は、スイッチ接点や制御手段１９、信号生成手段２０等には定電圧回路１７によって、ＤＣ３Ｖの電源として供給されるが、送信手段１８には蓄電手段１６から、ＤＣ１２Ｖ前後の高電圧のままで供給される。
【００４０】
つまり、電磁発電手段１２で生成されたＤＣ１２Ｖ前後の高電圧によって、送信手段１８の直列に接続された、複数の発光素子１８Ａの発光が可能になると共に、送信される赤外線のリモコン信号の到達距離が１２〜１７ｍ前後となり、より遠く離れた機器の遠隔操作が行えるように構成されている。
【００４１】
そして、上記のように操作の都度、リモコン送信機を振ることで、電磁発電手段１２によって高い電圧電源を生成し、これによって遠隔操作を行うようになっているため、電池等の電源が不要となって、電池交換といった手間もなくなると共に、電池電圧の低下による誤操作等も生じないようになっている。
【００４２】
なお、以上の説明では、電磁発電手段１２で生成された高電圧によって複数の発光素子１８Ａを発光させ、遠くまで赤外線のリモコン信号を送信する構成について説明したが、遠隔操作する距離がそれほど必要ではない場合には、複数の発光素子１８Ａに接続された抵抗２１を抵抗値の大きなものとすることで、発光素子１８Ａに流れる電流を減らし、使用電力の少ない省電力化を図ったものとすることも可能である。
【００４３】
また、以上の説明では、配線基板１１上に操作体２を載置し、操作部２Ａ下面の可動接点５と、配線基板１１上面の固定接点４を対向配置して、複数のスイッチ接点を形成した構成について説明したが、配線基板１１上面の固定接点４上に、略ドーム状で導電金属薄板製の可動接点を載置したものや、あるいは配線基板１１上面に個別のプッシュスイッチ等を実装したもの等、様々なスイッチ接点を用いた構成としても、本発明の実施は可能である。
【００４４】
このように本実施の形態によれば、送信手段１８を複数の発光素子１８Ａから形成すると共に、電磁発電手段１２を設け、この電磁発電手段１２で複数の発光素子１８Ａを発光させることによって、電池等が不要になると共に、電磁発電手段１２で生成された高電圧で複数の発光素子１８Ａを発光させ、遠くまで赤外線のリモコン信号を送信できるため、誤操作がなく、確実な操作が可能なリモコン送信機を得ることができるものである。
【産業上の利用可能性】
【００４５】
本発明によるリモコン送信機は、誤操作がなく、確実な操作が可能なものを得ることができるという有利な効果を有し、主に各種電子機器の遠隔操作用として有用である。
【符号の説明】
【００４６】
１  ケース
１Ａ  開口孔
２  操作体
２Ａ  操作部
４  固定接点
５  可動接点
１１  配線基板
１２  電磁発電手段
１３  コイル
１４  磁石
１５  整流回路
１６  蓄電手段
１７  定電圧回路
１８  送信手段
１８Ａ  発光素子
１９  制御手段
２０  信号生成手段
２１  抵抗
２２  カバー
【図１】
2012253586.tif 000003
【図２】
2012253586.tif 000004
【図３】
2012253586.tif 000005